(57)【要約】【課題】第一筐体及び第二筐体間の位置ずれを防止でき、組み立て工程を簡略化できる電子機器用筐体及び電子機器を提供すること。【解決手段】外装筐体２は、装置本体を収納する開口２２７を有する第一筐体２２と、開口２２７の端縁２２７１を形成する第一筐体２２の側壁２２１Ａの一部に当接し、当接部分を軸として回動して開口２２７を閉塞する第二筐体２１とを備え、第一筐体２２における側壁２２１Ａには、第二筐体２１の回動方向に沿ったガイド面を有し、かつ、第二筐体２１の回動を案内するガイド部２２７２が設けられ、第二筐体２１には、当該第二筐体２１が第一筐体２２を覆う際にガイド部２２７２の凹状曲面に当接する当接面を有する突出部２１５１が設けられ、ガイド部２２７２及び突出部２１５１のいずれか一方は、上部筐体２１が第一筐体２２の開口２２７を閉塞した際に、他方を係止する係止部を備える。【選択図】図１５
2008103671.tif 000002
【特許請求の範囲】
【請求項１】
所定の処理を実行する機器本体を内部に収納する電子機器用筐体であって、
前記機器本体を収納する開口を有する第一筐体と、
前記開口の端縁を形成する前記第一筐体の側壁の少なくとも一部に当接し、当接部分を軸として回動して前記開口を閉塞する第二筐体とを備え、
前記第一筐体における前記側壁には、前記第二筐体の回動方向に沿ったガイド面を有し、かつ、当該第二筐体の回動を案内するガイド部が設けられ、
前記第二筐体には、当該第二筐体が前記第一筐体を覆う際に前記ガイド部の前記ガイド面に当接する当接面を有する突出部が設けられ、
前記ガイド部及び前記突出部のいずれか一方は、前記第二筐体が前記第一筐体の前記開口を閉塞した際に、他方を係止する係止部を備えることを特徴とする電子機器用筐体。
【請求項２】
請求項１に記載の電子機器用筐体において、
前記ガイド部は、前記側壁における前記第一筐体の外面側に凹設され、
前記ガイド面は、前記開口の深さ方向に向かうにしたがって、前記ガイド部の厚さ寸法が小さくなる曲面形状に形成され、
前記係止部は、前記ガイド部であることを特徴とする電子機器用筐体。
【請求項３】
請求項１又は請求項２に記載の電子機器用筐体において、
前記第一筐体の前記側壁には、前記第二筐体の回動方向に沿って溝が形成され、
前記第二筐体は、前記溝に応じた幅寸法を有し、かつ、前記第二筐体が前記第一筐体の前記側壁の少なくとも一部に当接した際に、前記溝と係合する突起を備えていることを特徴とする電子機器用筐体。
【請求項４】
請求項３に記載の電子機器用筐体において、
前記突起には、当該突起の前記第二筐体からの突出方向の先端側が鉤状に曲折した鉤状部が形成され、
前記第一筐体には、前記第二筐体が前記開口を閉塞した際に、前記鉤状部が嵌合する嵌合穴が形成されていることを特徴とする電子機器用筐体。
【請求項５】
請求項１に記載の電子機器用筐体において、
前記ガイド部は、前記側壁における前記第一筐体の内面側に凸設され、
前記ガイド面は、前記第二筐体の回動方向に沿う曲面形状に形成され、
前記係止部は、前記突出部における当該突出部の突出方向先端側に形成され、前記ガイド部における前記深さ方向先端側を係止することを特徴とする電子機器用筐体。
【請求項６】
請求項５に記載の電子機器用筐体において、
前記側壁の前記第二筐体に対向する側の端部には、前記ガイド部が形成された位置に対応して切欠部が形成され、
前記切欠部の幅寸法は、前記第二筐体の回動軸に沿う方向の前記突出部の寸法に応じて設定されていることを特徴とする電子機器用筐体。
【請求項７】
請求項５又は請求項６に記載の電子機器用筐体において、
前記第二筐体には、前記突出部の外側に、当該突出部と略平行に起立する起立部が形成され、
前記側壁における外面側には、前記第二筐体が前記第一筐体を覆う際に、前記起立部が当接し、かつ、前記係止部により前記ガイド部が係止された際に、前記起立部が嵌まり込む段差部が形成されていることを特徴とする電子機器用筐体。
【請求項８】
請求項１から請求項７のいずれかに記載の電子機器用筐体と、
当該電子機器用筐体の内部に収納され、所定の処理を実行する機器本体とを備えていることを特徴とする電子機器。
【発明の詳細な説明】
【技術分野】
【０００１】
本発明は、電子機器用筐体及びこの電子機器用筐体を備えた電子機器に関する。
【背景技術】
【０００２】
従来より、電子機器として、ＣＰＵ（Central Processing Unit）等の集積回路を備えた情報処理装置が知られている。このような情報処理装置として、所定の演算処理を実行するパーソナルコンピュータ（Personal Computer，ＰＣ）や、ＣＤ（Compact Disc）、ＤＶＤ（Digital Versatile Disc）、ＢＤ（Blue-ray Disc；登録商標）等の光ディスクなどの記録媒体、及び、半導体メモリカードやＨＤＤ（Hard Disk Drive）等の記憶媒体に記録または記憶された画像及び音声情報を再生するディスク再生装置が知られている。
【０００３】
通常、このような情報処理装置は、使用者の操作に応じて所定の処理を行う機器本体と、この機器本体を収納する筐体とで構成されている。そして、このような情報処理装置に用いられる筐体として、機器本体を収納するための開口を有する第一筐体と、この第一筐体の開口を閉塞する第二筐体とを備え、これら第一，第二筐体によって機器本体を収納する構成が知られている（例えば、特許文献１参照）。この特許文献１に記載の筐体では、第二筐体を第一筐体に組み合わせて、ねじ止め等により各筐体を互いに固定している。
【０００４】
【特許文献１】特開２００１−３２０１８１号公報
【発明の開示】
【発明が解決しようとする課題】
【０００５】
ところで、特許文献１に記載の電子機器用の筐体では、第二筐体を水平にして上方から第一筐体に組み合わせて、各筐体を互いに固定している。
しかしながら、この特許文献１に記載の電子機器用筐体では、第一筐体と第二筐体とを組み合わせるにあたって、各筐体の位置が定まらないため、組み合わせの際の位置決めが煩雑であり、筐体の組み立てに時間を要してしまうという問題がある。
また、ねじ止め等による固定作業の前には、第一筐体及び第二筐体間の固定がなされていないため、第一筐体の機器本体を収納する開口を第二筐体が閉塞した状態で第一筐体と第二筐体とが位置ずれを起こし、第一筐体の開口から突出した状態で第一筐体に収納されている機器本体と第二筐体とが、互いに干渉してしまうという問題もある。
【０００６】
ここで、特許文献１に記載された以外の筐体として、第一筐体に収納されている機器本体を、第一筐体に対して第二筐体の位置がずれた状態で覆った後、第一筐体の開口の端縁に沿って第二筐体をスライドさせて、第二筐体を第一筐体に係止させる構成が知られている。
しかしながら、このような構成の場合には、第一筐体に収納されている機器本体と第二筐体とが互いに干渉することを防ぐために、第一筐体の開口の端縁に沿って第二筐体をスライドさせる分のスペースを、予め筐体内に確保しておかなければならない。このため、筐体が必要以上に大型化してしまうという問題がある。
【０００７】
さらには、電子機器用筐体のデザイン上、一般的に筐体の設計自由度は制限される。このため、任意の箇所にねじ止め孔を設けることが困難な場合があり、このような場合には、ねじの軸線方向への各筐体の移動、つまり上部筐体と下部筐体が離隔する方向の移動が完全には規制されずに、第一筐体及び第二筐体間に隙間が生じてしまうおそれもある。
【０００８】
本発明の目的は、第一筐体及び第二筐体間の位置ずれを防止でき、組み立て工程を簡略化することができる電子機器用筐体及び電子機器を提供することにある。
【課題を解決するための手段】
【０００９】
前記した目的を達成するために、本発明の電子機器用筐体は、所定の処理を実行する機器本体を内部に収納する電子機器用筐体であって、前記機器本体を収納する開口を有する第一筐体と、前記開口の端縁を形成する前記第一筐体の側壁の少なくとも一部に当接し、当接部分を軸として回動して前記開口を閉塞する第二筐体とを備え、前記第一筐体における前記側壁には、前記第二筐体の回動方向に沿ったガイド面を有し、かつ、当該第二筐体の回動を案内するガイド部が設けられ、前記第二筐体には、当該第二筐体が前記第一筐体を覆う際に前記ガイド部の前記ガイド面に当接する当接面を有する突出部が設けられ、前記ガイド部及び前記突出部のいずれか一方は、前記第二筐体が前記第一筐体の前記開口を閉塞した際に、他方を係止する係止部を備えることを特徴とする。
【００１０】
本発明によれば、電子機器用筐体は、機器本体を収納する開口を有する第一筐体と、この第一筐体の開口の端縁を形成する側壁の少なくとも一部に当接し、かつ、当接部分を軸として回動して第一筐体の開口を閉塞する第二筐体とを備えている。また、第一筐体における側壁には、第二筐体の回動方向に沿ったガイド面を有し、かつ、当該第二筐体の回動を案内するガイド部が設けられている。ここで、第二筐体には、当該第二筐体が第一筐体を覆う際にガイド部のガイド面に当接する当接面を有する突出部が設けられているため、第二筐体が第一筐体を覆う際には、第二筐体の回動がガイド部により案内される。
これによれば、第二筐体の突出部を第一筐体のガイド部に当接させ、当接部分を軸として第二筐体を回動させるだけで、第二筐体の回動がガイド部によって案内されるので、容易に第一筐体の開口を閉塞することができる。したがって、電子機器用筐体の組み立て工程を簡略化することができる。
【００１１】
また、ガイド部及び突出部のいずれか一方は、第二筐体が、第一筐体の開口を閉塞した際に、他方を係止する係止部を備えている。これによれば、第二筐体により第一筐体の開口が閉塞された際に、当該第一筐体及び第二筐体の一方に対する他方の移動を規制することができる。従って、第二筐体が第一筐体の開口を閉塞した状態で、第一筐体及び第二筐体間の位置ずれを防ぐことができる。
【００１２】
本発明の電子機器用筐体において、前記ガイド部は、前記側壁における前記第一筐体の外面側に凹設され、前記ガイド面は、前記開口の深さ方向に向かうにしたがって、前記ガイド部の厚さ寸法が小さくなる曲面形状に形成され、前記係止部は、前記ガイド部であることが好ましい。
【００１３】
本発明によれば、ガイド部は、側壁における第一筐体の外面側に凹設され、ガイド面は、開口の深さ方向に向かうにしたがって、ガイド部の厚さ寸法が小さくなる曲面形状に形成されているため、突出部をガイド面に当接させて第二筐体を回動することにより、突出部がガイド面に沿ってガイド部に嵌り込むことになる。
これによれば、第二筐体が第一筐体を覆う際、及び、第二筐体が第一筐体の開口を閉塞した際には、突出部が係止部であるガイド部によって覆われるため、当該ガイド部により、突出部の第一筐体の側壁に沿った移動を規制することができる。従って、第一筐体及び第二筐体間の位置ずれをより効果的に防ぐことができる。
【００１４】
また、ガイド部は、第一筐体の側壁の外面に凹設されているので、第二筐体の突出部は、第一筐体の側壁の外面側でガイド部と当接する。これによれば、第二筐体が第一筐体を覆う際、及び、第二筐体が第一筐体の開口を閉塞した際に、第二筐体の突出部が第一筐体の開口内に入り込まないようにすることができる。従って、第一筐体における開口内のスペースを有効に利用できる。
更に、ガイド部のガイド面は、第一筐体の開口の深さ方向に向かうにしたがって、ガイド部の厚さ寸法が小さくなる曲面形状に形成されているので、当該ガイド面に応じた曲面形状の当接面を突出部に形成することにより、ガイド部と突出部とが、ガイド面及び当接面で略均等に当接する。
これによれば、ガイド部及び突出部間のガタ及び摩擦が低減されるため、第二筐体を第一筐体に対してスムーズに回動させることができる。従って、第一筐体に対する第二筐体の位置決めを迅速に行うことができる。
【００１５】
本発明の電子機器用筐体において、前記第一筐体の前記側壁には、前記第二筐体の回動方向に沿って溝が形成され、前記第二筐体は、前記溝に応じた幅寸法を有し、かつ、前記第二筐体が前記第一筐体の前記側壁の少なくとも一部に当接した際に、前記溝と係合する突起を備えていることが好ましい。
【００１６】
本発明によれば、第二筐体が第一筐体の側壁に当接した際に、第二筐体に形成された突起が、当該第二筐体の回動方向に沿うように第一筐体の側壁に形成された溝に係合するため、第一筐体と第二筐体とを組み立てるにあたり、第二筐体を第一筐体に対して仮位置決めすることができる。これによれば、組み立てにあたっての第一筐体及び第二筐体間の位置決めを容易に行うことができる。従って、電子機器用筐体の組み立て工程を一層簡略化することができる。
【００１７】
本発明の電子機器用筐体において、前記突起には、当該突起の前記第二筐体からの突出方向の先端側が鉤状に曲折した鉤状部が形成され、前記第一筐体には、前記第二筐体が前記開口を閉塞した際に、前記鉤状部が嵌合する嵌合穴が形成されていることが好ましい。
【００１８】
本発明によれば、第二筐体が第一筐体の開口を閉塞した際に、第二筐体の突起に形成された鉤状部が、第一筐体に形成された嵌合穴に嵌合する。従って、前述した規制に加え、さらに第一筐体に対する第二筐体の動きが規制されるため、第一筐体に対する第二筐体の位置ずれをより防止できる。
【００１９】
或いは、本発明では、前記ガイド部は、前記側壁における前記第一筐体の内面側に凸設され、前記ガイド面は、前記第二筐体の回動方向に沿う曲面形状に形成され、前記係止部は、前記突出部における当該突出部の突出方向先端側に形成され、前記ガイド部における前記深さ方向先端側を係止することが好ましい。
本発明によれば、ガイド部が、側壁における第一筐体の内面側に凸設されていることにより、第一筐体の外面側に凹凸を形成する必要をなくすことができる。これによれば、第一筐体の開口を第二筐体により閉塞した際に、当該第一筐体と第二筐体との隙間を小さくすることができる。従って、第二筐体により第一筐体の開口を閉塞した際のそれぞれの位置ずれを抑制することができる。
【００２０】
また、突出部の当接面が当接するガイド部のガイド面は、曲面形状を有していることにより、当該当接面及びガイド面のガタ及び摩擦を低減することができる。従って、第二筐体を第一筐体に対してスムーズに回動させることができ、第一筐体に対する第二筐体の位置決めを迅速に行うことができる。
更に、係止部が、突出部の突出方向先端側に形成され、当該係止部が、ガイド部における開口の深さ方向先端側部分を係止することにより、当該開口を第二筐体が閉塞した際に、第一筐体から離間する方向への第二筐体の移動を確実に規制することができる。従って、第二筐体により第一筐体の開口を閉塞した状態を、確実に維持することができる。
【００２１】
本発明では、前記側壁の前記第二筐体に対向する側の端部には、前記ガイド部が形成された位置に対応して切欠部が形成され、前記切欠部の幅寸法は、前記第二筐体の回動軸に沿う方向の前記突出部の寸法に応じて設定されていることが好ましい。
ここで、切欠部の幅寸法は、第一筐体と第二筐体とを組み合わせた際の当該第二筐体の回動軸に沿う方向の寸法とすることができる。
本発明によれば、切欠部が、第一筐体の側壁の端部におけるガイド部に対応した位置に形成されていることにより、突出部を切欠部に当接させた状態で第二筐体を回動させることで、当該突出部をガイド部に簡易に当接させることができる。また、切欠部の幅寸法は、突出部の寸法に応じて設定されているので、当該突出部を切欠部に当接させた場合には、第一筐体と第二筐体との間に、当該第二筐体の回動軸方向に沿った位置ずれが生じることを抑制することができる。従って、第一筐体と第二筐体との互いの位置ずれを、一層確実に抑制することができる。
【００２２】
本発明では、前記第二筐体には、前記突出部の外側に、当該突出部と略平行に起立する起立部が形成され、前記側壁における外面側には、前記第二筐体が前記第一筐体を覆う際に、前記起立部が当接し、かつ、前記係止部により前記ガイド部が係止された際に、前記起立部が嵌まり込む段差部が形成されていることが好ましい。
本発明によれば、第二筐体により第一筐体の開口を閉塞して、係止部がガイド部を係止した際に、第二筐体に形成された起立部が、側壁の外面に形成された段差部に嵌まり込む。これによれば、係止部がガイド部を係止することによる第一筐体と第二筐体との位置ずれの抑制に加えて、起立部及び段差部による第一筐体と第二筐体との位置ずれの抑制を図ることができる。すなわち、段差部に起立部が嵌まり込むことにより、係止部がガイド部を係止した状態での第一筐体及び第二筐体の互いの当接面に沿い、かつ、第二筐体の回動軸に直交する方向の移動を抑制することができる。従って、第一筐体の開口を第二筐体により閉塞した状態での互いの位置ずれを、より一層確実に抑制することができる。
【００２３】
本発明の電子機器は、前述した本発明の電子機器用筐体と、当該電子機器用筐体の内部に収納され、所定の処理を実行する機器本体とを備えていることを特徴とする。
このような本発明によれば、前述した本発明の外装筐体を備えているため、前述した効果を奏する電子機器が得られる。
【発明を実施するための最良の形態】
【００２４】
〔１．第一実施形態〕
以下、本発明の第一実施形態を図面に基づいて説明する。
〔情報処理装置１の構成〕
図１は、本実施形態に係る電子機器としての情報処理装置１を正面側から見た斜視図である。
本実施形態の情報処理装置１は、ＣＤ、ＤＶＤ及びＢＤ（BLU-RAY DISC：登録商標）等の光ディスクや、各種半導体メモリカード及びＨＤＤに記録または記憶された情報、並びに、接続されたネットワークから情報を取得し、当該取得情報に含まれる画像情報及び音声情報を再生するほか、当該取得情報に含まれるプログラムを実行する電子機器である。また、この情報処理装置１は、当該光ディスク、半導体メモリカード及びＨＤＤに対する情報の記録を行うことができるように構成されている。このような情報処理装置１は、コントローラ（図示省略）を使用者が操作することにより、使用者の操作に応じた所定の処理を行い、当該処理結果から画像信号及び音声信号を、当該情報処理装置１に接続された画像表示装置（図示省略）等に出力する。
この情報処理装置１は、電子機器用筐体としての外装筐体２（図１〜図１０）と、当該外装筐体２内に収納される機器本体としての装置本体３（図８）とを備えて構成されている。
【００２５】
〔外装筐体２の構成〕
外装筐体２は、図１に示すように、全体略楕円柱状を有している。このような外装筐体２は、第二筐体としての上部筐体２１と、第一筐体としての下部筐体２２とから構成されている。
【００２６】
〔上部筐体２１の構成〕
上部筐体２１は、円弧状の湾曲部分を有する箱型形状に形成され、下部筐体２２と組み合わされてねじ固定される。この上部筐体２１には、正面部２１１、化粧板２４が取り付けられる上面部２１２、側面部２１３，２１４及び背面部２１７（図２）が形成され、上部筐体２１には、これら正面部２１１、側面部２１３，２１４及び背面部２１７により、装置本体３の一部を収納するための開口２１６（図２）が形成されている。
【００２７】
正面部２１１は、図１において示す手前側の部分であり、当該正面部２１１の左側には、各種半導体メモリカード（以下、「メモリカード」と略す場合がある）を挿抜可能な３つの開口を有するカードスロット部（図示省略）が形成されており、また、当該カードスロット部を覆う蓋部材２３が回動自在に設けられている。この蓋部材２３は、正面部２１１の長手方向に沿った回動軸を中心として上方に回動することにより、カードスロット部を開放し、下方に回動することにより、カードスロット部を閉塞する。
【００２８】
正面部２１１の右側には、直径１２ｃｍの光ディスクに対応したディスク挿入口２１１４が正面部２１１の長手方向に沿って形成されている。このディスク挿入口２１１４に挿入された光ディスクは、後述する装置本体３を構成するディスクユニット３３（図８）に挿入される。
さらに、正面部２１１に交差する側面部２１３，２１４には、外装筐体２内に収納された装置本体３を冷却する冷却空気を、当該外装筐体２外から吸気する複数の吸気口２１３１（図１では、側面部２１３の吸気口２１３１のみ図示）が形成されている。
【００２９】
図２は、上部筐体２１の内面部２１５を示す斜視図である。
上部筐体２１の内面、すなわち、正面部２１１、側面部２１３，２１４、背面部２１７及び上面部２１２の内面により構成される内面部２１５の背面部２１７側には、図２に示すように、下部筐体２２と当接する嵌合つめ２１５４が設けられている。この嵌合つめ２１５４は、上部筐体２１が下部筐体２２を覆った際に、下部筐体２２の図示しない溝部分に嵌合して上部筐体２１を下部筐体２２に係止するとともに、筐体の外側から係止状態を解除可能に構成されている。
【００３０】
また、内面部２１５の正面部２１１側には、下部筐体２２に当接する突出部２１５１が設けられている。
具体的に、突出部２１５１は、それぞれ正面部２１１、側面部２１３，２１４、背面部２１７における上面部２１２とは離間する側に形成され、かつ、開口２１６の端縁２１６１を形成する側壁のうち、正面部２１１側に形成された側壁２１１Ａの内面に、当該側壁２１１Ａの長手方向に沿って突設されている。また、内面部２１５における側壁２１１Ａ近傍には、突起２１５２，２１５３が設けられている。
【００３１】
図３は、図２の突出部２１５１を示した部分拡大図であり、図４は、図５の断面図である。
突出部２１５１は、図３及び図４に示すように、上部筐体２１の開口２１６の端縁２１６１側に向うにしたがって、側壁２１１Ａからの突出量が徐々に大きくなる断面略円弧状の、当接面としての凸状曲面２１５１１を有している。この突出部２１５１の端縁２１６１側には、断面凹状の凹状部２１５１２が形成されており、この凹状部２１５１２によって、成形時における突出部２１５１のひけの発生が防止される。
【００３２】
突起２１５２，２１５３は、突出部２１５１の間に、突出部２１５１の並び方向である側壁２１１Ａの長手方向に沿って、それぞれ交互に複数突設されている。
このうち、突起２１５２は、側面視した場合に、突出方向の基端側では、側壁２１１Ａ側が凹曲線状で反対側が直線状に末広がりする山形状に形成され、先端側では、側壁２１１Ａに略平行な直線状に形成されている。すなわち、突起２１５２は、側面視略Ｌ字状に形成されている。
一方、突起２１５３は、突起２１５２と同様の特徴を有しているが、当該突起２１５３は、突起２１５２とは異なり、突出方向の先端側に、正面部２１１の側壁２１１Ａ側に向けて鉤状に曲折した鉤状部２１５３１を有している。このため、突起２１５３は、側面視略Ｕ字状に形成されている。
【００３３】
〔下部筐体２２の構成〕
下部筐体２２は、図１に示すように、直方体と半円柱とを組み合わせた形状を有し、半円柱状部分を向い合わせるように前述の上部筐体２１と組み合わさる。
この下部筐体２２には、正面部２２１（図１）、側面部２２２（図１），２２３（図３）、背面部（図示省略）及び底面部２２５（図５）が形成されている。また、下部筐体２２には、これら正面部２２１、側面部２２２，２２３及び背面部により、装置本体３を収納するための開口２２７（図１０）が形成され、正面部２２１、側面部２２２，２２３、背面部及び底面部２２５の内側の面により、内面部２２６が形成されている。
【００３４】
正面部２２１（図１における手前側の部分）の左側には、４つの略矩形状を有する開口２２１１が形成されている。これら開口２２１１を介して、装置本体３に設けられ、かつ、ＵＳＢ（Universal Serial Bus）規格に準拠したＡ端子を接続可能な端子がそれぞれ露出する。また、正面部２２１における開口２２１１の右側、及び、延出部分の下面には、略矩形を有する複数の吸気口２２１２，２２１３（図５）が形成されている。
【００３５】
また、図１における右側の側面部２２２、すなわち、上部筐体２１の側面部２１３に対応する側面部２２２には、後述する第一段差部２２５１（図５）により上方側が突出し、下方側が没入した段差が形成されており、上方側の突出部分の側面に排気口２２２１が形成され、下方側の没入部分の側面に排気口２２２２が形成されている。
このため、外装筐体２における側面部２１３，２２２によって形成される面２Ａには、吸気口２１３１及び排気口２２２１，２２２２が同一の面に形成されていることとなる。
【００３６】
図５は、下部筐体２２を底面側から見た斜視図である。
側面部２２３の両端には、図５に示すように、ゴム等により形成された脚部２２３１が形成されている。この側面部２２３に形成された脚部２２３１、及び、上部筐体２１の側面部２１４に形成された脚部（図示省略）を設置面に当接させるように配置することで、情報処理装置１の縦置きが可能となっている。
また、側面部２２３の略中央には、略矩形状の開口２２３２が形成されており、当該開口２２３２を介して、図示しないＨＤＤユニットが取り付けられる。この開口２２３２は、当該開口２２３２に応じた形状を有する蓋部材２５により閉塞されている。
【００３７】
底面部２２５は、下部筐体２２における上部筐体２１とは反対側の直方体部分の底面に対応する部分である。この底面部２２５には、下方に突出した２段の第一段差部２２５１及び第二段差部２２５２が形成されている。
詳述すると、第一段差部２２５１は、底面部２２５において、正面部２２１及び側面部２２２（図１）側が内側にずれ、かつ、側面部２２３及び背面部側が面一となるように形成されている。また、第二段差部２２５２は、当該第一段差部２２５１の内側に、正面部２２１及び側面部２２２側が内側にずれ、側面部２２３及び背面部側が面一となるように形成されている。これらのうち、第一段差部２２５１の正面側には、前述の開口２２１１及び吸気口２２１２が形成されている。
第二段差部２２５２における底面の四隅には、ゴムにより形成された複数の脚部２２５２１が設けられている。これら脚部２２５２１を設置面に当接させるようにして情報処理装置１を配置することで、当該情報処理装置１の横置きが可能となっている。
【００３８】
一方、正面部２２１には、側面部２２３の形状に沿って図５の前方側に突出した段差部２２１４が形成されている。段差部２２１４は、第一段差部２２５１より上方側かつ側面部２２２側で突出した段差２２２３と連続した形状とされ、前述した吸気口２２１３は、この段差部２２１４に形成されている。
このような段差部２２１４の正面側の端部には、段差部２２１４から起立して正面部２２１を構成するとともに、開口２２７（図７）の端縁２２７１を形成する側壁２２１Ａが形成されている。そして、この側壁２２１Ａの上端側、すなわち側壁２２１Ａにおける開口２２７の端縁２２７１側には、ガイド部２２７２とリブ２２７３とが形成されている。
【００３９】
図６は、ガイド部２２７２及びリブ２２７３を示す下部筐体２２の部分拡大図である。
ガイド部２２７２は、図５及び図６に示すように、側壁２２１Ａの上端側（端縁２２７１側）に、上部筐体２１の各突出部２１５１（図２及び図３）に対応して設けられている。具体的に、ガイド部２２７２は、側壁２２１Ａの外面側に凹設されており、側壁２２１Ａの外面側に向くガイド面としての凹状曲面２２７２１を有している。この凹状曲面２２７２１は、断面略円弧状に形成され、開口２２７の深さ方向に向かうにしたがって、ガイド部２２７２の厚さ寸法が徐々に小さくなるように形成されている。
【００４０】
リブ２２７３は、側壁２２１Ａの外面側が開口に向かって一段没入するように、当該側壁２２１Ａの上端面に突設されている。そして、リブ２２７３は、同様に側面部２２２，２２３の上端面に設けられたリブ２２２４，２２３４に、連続して形成されている。
ここで、ガイド部２２７２及びリブ２２７３は、側壁２２１Ａに沿って略一直線上に設けられているが、ガイド部２２７２の外面側には凹状曲面２２７２１が形成されているため、下部筐体２２を正面側から見た場合に、ガイド部２２７２は、リブ２２７３に対する凹部を形成している。
【００４１】
図７は、下部筐体２２の内面部２２６を示す斜視図である。
リブ２２７３には、図５及び図７に示すように、当該リブ２２７３に沿う方向と直交する方向（上部筐体２１の回動方向）に沿って複数の溝２２７３１が形成されている。これら溝２２７３１は、上部筐体２１及び下部筐体２２を組み合わせる際に、下部筐体２２に対する上部筐体２１の位置決めに用いる部分であり、上部筐体２１の各突起２１５２，２１５３（図２及び図３）に対応し、かつ、当該突起２１５２，２１５３と略同じ幅寸法を有するように、それぞれ形成されている。
【００４２】
内面部２２６には、図７に示すように、突起２１５３の鉤状部２１５３１（図３）が嵌合する嵌合穴２２６１が設けられている。
嵌合穴２２６１は、側壁２２１Ａの内面に形成され、各溝２２７３１のうち、突起２１５３に対応する溝２２７３１に対して、開口２２７の深さ方向の位置に設けられている。このような嵌合穴２２６１には、上部筐体２１と下部筐体２２とを組み立てた状態で、上部筐体２１の突起２１５３における鉤状部２１５３１が嵌合する。
【００４３】
〔装置本体３の構成〕
図８は、上部筐体２１を外した状態の情報処理装置１を正面側から見た斜視図であり、言い換えると、当該図８は、装置本体３を示す斜視図である。
装置本体３は、使用者の操作に応じた所定の処理を実行する本体部分であり、図８に示すように、外装筐体２内に収納されている。この装置本体３は、制御ユニット３１、冷却ユニット（図示省略）、ディスクユニット３３、電源ユニット３４及びリーダライタユニット３５を備えて構成されている。そして、装置本体３は、これら各ユニット３１〜３５が互いにねじ等により固定され、一体的に組み合わさっている。
【００４４】
制御ユニット３１は、ＣＰＵ（Central Processing Unit）及びＧＰＵ（Graphics Processing Unit）等が実装された回路基板を備え、装置本体３、ひいては、情報処理装置１の駆動を制御するユニットである。
冷却ユニットは、詳しい図示を省略するが、制御ユニット３１と一体となり、当該制御ユニット３１を冷却するほか、外装筐体２外部から冷却空気を導入する過程で、当該冷却空気の流路上に位置する電源ユニット３４等を冷却する。
ディスクユニット３３は、制御ユニット３１による制御下で、挿入された前述の各種光ディスクに記録された情報を読出し、当該情報を、制御ユニット３１に出力する。また、ディスクユニット３３は、挿入された光ディスクに対し、前述のような情報の記録を行う。
【００４５】
電源ユニット３４は、装置本体３に駆動電力を供給する。
リーダライタユニット３５は、制御ユニット３１による制御下で、前述の上部筐体２１のカードスロット部に装着された各種メモリカードに対する情報の読出及び記憶を実行する。このリーダライタユニット３５は、メモリカードが挿抜されるリーダライタ３５１と、当該リーダライタ３５１の動作を制御する基板３５２とを備えて構成されている。
【００４６】
〔外装筐体２の組み立て工程〕
以下、外装筐体２の組み立て工程について説明する。
図９、図１２及び図１４は、外装筐体２の組み立てにあたって下部筐体２２を上部筐体２１で覆う際の経過を示す側面図であり、図１０、図１３及び図１５は、それぞれ図９、図１２及び図１４の一部を部分拡大した断面図である。また、図１１は、図９及び図１０において、上部筐体２１の突起２１５３が下部筐体２２の溝２２７３１に嵌り込んだ状態を示す斜視図である。なお、図９、図１０及び図１２〜図１５においては、装置本体３の図示を省略する。
【００４７】
先ず、図９に示すように、上部筐体２１を下部筐体２２に対して略９０度傾けた状態で、図１０に示すように、上部筐体２１の各突起２１５２，２１５３を下部筐体２２の開口２２７の端縁２２７１に位置する側壁２２１Ａに当接させる。この際、図１１に示すように、各突起２１５２，２１５３を、それぞれ溝２２７３１に嵌め込む。このように溝２２７３１へ各突起２１５２，２１５３を嵌り込むことにより、上部筐体２１は、下部筐体２２に対して図１４における手前及び奥行き方向で仮位置決めされる。
【００４８】
次に、図１２に示すように、各突起２１５２，２１５３（図１３）が当接している下部筐体２２の端縁２２７１を軸として、下部筐体２２を覆う方向に上部筐体２１を回動させる。この際、図１３に示すように、ガイド部２２７２の凹状曲面２２７２１は、開口２２７の深さ方向に向かうにしたがって厚さ寸法が徐々に小さくなるように形成されているため、突出部２１５１が、当該凹状曲面２２７２１部分に嵌り込み、突出部２１５１の凸状曲面２１５１１と、凹状曲面２２７２１とが互いに当接する。
【００４９】
ここで、凸状曲面２１５１１及び凹状曲面２２７２１は、上部筐体２１の回動方向に沿った曲面形状とされているため、突出部２１５１は、凹状曲面２２７２１に沿って摺動することで上部筐体２１の回動がスムーズに案内される。上部筐体２１の回動がガイド部２２７２によって案内されるにつれて、当該上部筐体２１の各突起２１５２，２１５３は、徐々に下部筐体２２の内面部２２６側に回り込み、各突起２１５２，２１５３と下部筐体２２の溝２２７３１との嵌り込みは解除される。その後、上部筐体２１は、ガイド部２２７２による突出部２１５１の案内にしたがって、突出部２１５１とガイド部２２７２の当接部分を軸として更に回動する。
また、ガイド部２２７２は、下部筐体２２の開口２２７形成する側壁２２１Ａに凹設されているため、突出部２１５１は、ガイド部２２７２によって覆われることになる。
【００５０】
引き続き上部筐体２１を回動させると、図１４に示すように、上部筐体２１は、下部筐体２２と位置ずれなく適切に組み合わされ、下部筐体２２の開口２２７（図７）を閉塞する。この際、図１５に示すように、突出部２１５１がガイド部２２７２に当接しているため、下部筐体２２に対して図１４の右方向への上部筐体２１の動きが規制される。また、突起２１５２，２１５３が、図１５に示すように、下部筐体２２の側壁２２１Ａの内面に当接するため、下部筐体２２に対して図１４の左方向への上部筐体２１の動きが規制される。
【００５１】
さらに、突起２１５３の鉤状部２１５３１が、図１５に示すように、下部筐体２２の嵌合穴２２６１に嵌合することにより、下部筐体２２に対して図１４における手前、奥行き方向及び上下方向への上部筐体２１の動きが規制される。
これに加えて、突出部２１５１が、図１５に示すように、ガイド部２２７２によって覆われて係止されるとともに、上部筐体２１の背面側に形成された嵌合つめ２１５４（図２）が、下部筐体２２に係止される。このため、下部筐体２２に対して図１４における上方向、つまり下部筐体２２から外れる方向への上部筐体２１の動きと、図１４における手前及び奥行き方向の動きとが規制される。すなわち、本実施形態では、ガイド部２２７２が、本発明のガイド部及び係止部に相当する。
【００５２】
従って、ねじ固定前であっても、図１４の手前及び奥行き方向、上下方向、及び左右方向について、上部筐体２１及び下部筐体２２間の位置ずれが防止される。
その後、上部筐体２１の上面部２１２に形成されたねじ挿入口（図示省略）にねじを挿入し、上部筐体２１を装置本体３にねじ固定する。そして、化粧板２４を上面部２１２の長手方向に沿って摺動させて、化粧板２４を上面部２１２に取り付ける。
以上により、上部筐体２１と下部筐体２２とが組み合わさる。
【００５３】
〔第一実施形態の効果〕
以上のような本実施形態の情報処理装置１によれば、以下の効果を奏することができる。
すなわち、外装筐体２は、装置本体３を収納する開口２２７を有する下部筐体２２と、当該開口２２７の端縁２２７１を形成する側壁２２１Ａの一部に当接し、かつ、当接部分を軸として回動して開口２２７を閉塞する上部筐体２１とを備えている。また、上部筐体２１の回動を案内するガイド部２２７２は、側壁２２１Ａに設けられ、当該ガイド部２２７２は、上部筐体２１の回動方向に沿った凹状曲面２２７２１を有している。ここで、上部筐体２１には、当該上部筐体２１が下部筐体２２を覆う際に、ガイド部２２７２の凹状曲面２２７２１に当接し、かつ、上部筐体２１が開口２２７を閉塞した際にガイド部２２７２に係止される。
【００５４】
これによれば、突出部２１５１をガイド部２２７２に当接させることで、上部筐体２１の回動がガイド部２２７２によって案内されるので、容易に下部筐体２２の開口２２７を閉塞することができる。従って、外装筐体２の組み立て工程を簡略化することができる。
また、上部筐体２１が下部筐体２２の開口２２７を閉塞した際には、突出部２１５１がガイド部２２７２により係止されるため、下部筐体２２に対する上部筐体２１の動きが規制される。従って、上部筐体２１が開口２２７を閉塞した状態で、下部筐体２２及び上部筐体２１間の位置ずれを防ぐことができる。
さらに、上部筐体２１と下部筐体２２とは、突出部２１５１及びガイド部２２７２によって係止されているため、開口２２７を閉塞した時とは反対に上部筐体２１を回動させることで、下部筐体２２に対して上部筐体２１を簡単に開くことができる。したがって、下部筐体２２からの上部筐体２１の取り外しを容易に行うことができる。
【００５５】
ガイド部２２７２は、開口２２７を形成する側壁２２１Ａに凹設されている。また、ガイド部２２７２は、開口２２７の深さ方向に向かうにしたがって、ガイド部２２７２の厚さ寸法が徐々に小さくなるように形成された凹状曲面２２７２１を有している。このため、突出部２１５１を凹状曲面２２７２１に当接させて上部筐体２１を回動させることにより、突出部２１５１が凹状曲面２２７２１に沿ってガイド部２２７２に嵌り込むことになる。
【００５６】
これにより、上部筐体２１が下部筐体２２を覆う際、及び、上部筐体２１が開口２２７を閉塞した際には、突出部２１５１がガイド部２２７２によって覆われるため、突出部２１５１の下部筐体２２の側壁２２１Ａに沿った移動（下部筐体２２から離間する方向への移動）が規制される。従って、上部筐体２１及び下部筐体２２間の位置ずれをより効果的に防ぐことができる。
また、同様に、上部筐体２１が開口２２７を閉塞した際に、突出部２１５１の上方への移動が規制されるので、上部筐体２１が下部筐体２２の開口２２７を閉塞した状態で、上部筐体２１と下部筐体２２との間に隙間が生じるのを防止することができる。
さらに上部筐体２１が開口２２７を閉塞した際に、ガイド部２２７２に近接する方向への突出部２１５１の動きが規制されるため、下部筐体２２の背面部に近接する方向への上部筐体２１の位置ずれを防止することができる。従って、開口２２７から突出した状態で下部筐体２２に収納されている装置本体３と上部筐体２１とが、互いに干渉することを防止できる。
【００５７】
また、ガイド部２２７２は、下部筐体２２の開口２２７を形成する側壁２２１Ａの外面に設けられている。
これによれば、上部筐体２１の突出部２１５１は、下部筐体２２の側壁２２１Ａの外面側でガイド部２２７２と当接することになる。従って、突出部２１５１とガイド部２２７２とを当接させやすくすることができるほか、上部筐体２１が開口２２７を覆う際、及び、上部筐体２１が開口２２７を閉塞した際に、突出部２１５１が開口２２７内に入り込むことがなく、開口２２７内のスペースを有効に利用できる。
【００５８】
ガイド部２２７２の凹状曲面２２７２１は、上部筐体２１の回動方向に沿った曲面形状を有し、突出部２１５１には、凹状曲面２２７２１に当接し、かつ、当該凹状曲面２２７２１に応じた曲面形状を有する凸状曲面２１５１１が形成されている。これによれば、ガイド部２２７２と突出部２１５１とを、凹状曲面２２７２１及び凸状曲面２１５１１で略均等に当接させることができる。これにより、ガイド部２２７２及び突出部２１５１間のガタ及び摩擦が低減されるため、上部筐体２１を下部筐体２２に対してスムーズに回動させることができる。したがって、下部筐体２２に対する上部筐体２１の位置決めを迅速に行うことができる。
【００５９】
上部筐体２１が開口２２７を閉塞した際に、当該上部筐体２１の突起２１５２，２１５３は、下部筐体２２の正面部２２１を形成する側壁２２１Ａの内面に当接するため、上部筐体２１及び下部筐体２２のうちの一方の他方に対する動きが規制される。
従って、上部筐体２１の前述した方向への規制と合わせて、下部筐体２２に対して上部筐体２１の位置ずれをより確実に防止することができる。
【００６０】
下部筐体２２のリブ２２７３には、当該リブ２２７３の長手方向に直交する方向に沿って溝２２７３１が形成され、上部筐体２１は、この溝２２７３１に応じた幅寸法を有し、かつ、当該溝２２７３１と係合する突起２１５２，２１５３を備えている。これによれば、上部筐体２１を下部筐体２２の端縁２２７１に当接させた際に、各突起２１５２，２１５３が溝２２７３１に係合するため、下部筐体２２と上部筐体２１とを組み立てるにあたり、上部筐体２１を下部筐体２２に対して仮位置決めすることができる。従って、組み立てにあたっての上部筐体２１及び下部筐体２２間の位置決めを容易に行うことができるので、外装筐体２の組み立て工程を一層簡略化することができる。
【００６１】
上部筐体２１の突起２１５３には、当該突起２１５３の上部筐体２１からの突出方向の先端側が鉤状に曲折した鉤状部２１５３１が形成され、下部筐体２２には、上部筐体２１に覆われた際に、鉤状部２１５３１が嵌合する嵌合穴２２６１が形成されており、上部筐体２１が開口２２７を閉塞した際に、鉤状部２１５３１が嵌合穴２２６１に嵌合する。
これにより、上部筐体２１の前述した規制に加え、下部筐体２２に対する上部筐体２１の動きをさらに規制することができる。従って、下部筐体２２に対する上部筐体２１の位置ずれを効果的に防止することができる。
【００６２】
下部筐体２２の端縁２２７１に沿って、リブ２２７３と略一直線上に当該端縁２２７１に形成されたガイド部２２７２の外面には、凹状曲面２２７２１が形成されているため、下部筐体２２を正面側から見た場合に、ガイド部２２７２は、リブ２２７３に対する凹部を形成している。
これによれば、下部筐体２２の側壁２２１Ａの端縁２２７１側にリブ２２７３が形成されている場合でも、ガイド部２２７２によって側壁２２１Ａの外面に凹部が形成されるため、上部筐体２１の回動時には、突出部２１５１がガイド部２２７２に嵌り込む。これにより、突出部２１５１はガイド部２２７２により係止されるため、リブ２２７３による上部筐体２１の位置ずれ防止効果と合わせて、下部筐体２２に対する上部筐体２１の位置ずれをより一層防止することができる。
【００６３】
〔２．第二実施形態〕
次に、本発明の第二実施形態に係る情報処理装置１Ａについて説明する。
本実施形態の情報処理装置１Ａは、前述の情報処理装置１と同様の構成を備えるが、当該情報処理装置１の外装筐体２では、凸状曲面２１５１１及び凹状曲面２２７２１が、それぞれ上部筐体２１及び下部筐体２２に形成されていたが、本実施形態の情報処理装置１Ａでは、それぞれ逆に形成されている点で、当該情報処理装置１Ａは、情報処理装置１と相違する。なお、以下の説明では、既に説明した部分と同一または略同一である部分については、同一の符号を付して説明を省略する。
【００６４】
〔情報処理装置１Ａの構成〕
情報処理装置１Ａは、合成樹脂製の外装筐体２Ａと、当該外装筐体２の内部に収納される装置本体３とを備え、このうち、外装筐体２Ａは、第二筐体としての上部筐体２６と、第一筐体としての下部筐体２７とを備えて構成されている。
【００６５】
〔上部筐体２６の構成〕
図１６は、上部筐体２６の内面部２６５を示す斜視図である。
上部筐体２６は、前述の上部筐体２１と同様に、下部筐体２７に対向する側に開口した断面略Ｕ字状に形成されている。具体的に、上部筐体２６には、上面部２１２と、当該上面部２１２の端縁から下方（下部筐体２７に対向する方向）に延出するように、正面部２１１、側面部２１３，２１４及び背面部２１７とが形成されている。また、上部筐体２６には、これら各部２１１，２１３，２１４，２１７により、下方に向かって開口した開口２６６が形成され、各部２１１，２１３，２１４，２１７の延出方向先端部には、下部筐体２７の開口２７７端縁を覆う側壁２６１Ａ，２６３Ａ，２６４Ａ，２６７Ａが、それぞれ形成されている。
【００６６】
上部筐体２６の内側には、各部２１１，２１３，２１４，２１７の内側の面により構成され、かつ、開口２６６により開放される内面部２６５が形成されている。
この内面部２６５における背面部２１７に近接する側の位置には、嵌合つめ２１５４が形成されている。
また、内面部２６５における正面部２１１に近接する側の位置には、後述する下部筐体２７に係合して、当該下部筐体２７に対して上部筐体２６を係止する突出部２６８が複数形成されている。すなわち、突出部２６８は、内面部２６５における正面部２１１に形成された側壁２６１Ａの内側に、当該側壁２６１Ａの長手方向に沿って所定間隔を隔てて、合計６つ突設されている。
【００６７】
図１７は、突出部２６８を示す上部筐体２６の縦断面図である。
突出部２６８は、図１７に示すように、上面部２１２に対応する内面部２６５の領域において、面外方向に起立する起立部２６８１と、当該起立部２６８１の起立方向先端部分で正面部２１１側に屈曲する係止部２６８２とを備え、側面視略Ｌ字状に内面部２６５と一体的に形成されている。
このうち、起立部２６８１に対する係止部２６８２の延出方向側とは反対側は、起立部２６８１の起立方向の先端側に向かうに従って、当該起立部２６８１の厚さ寸法（正面部２１１から背面部２１７に向かう方向の寸法）が小さくなるように、傾斜している。
【００６８】
また、起立部２６８１における側壁２６１Ａに対向する面、及び、当該面に接続され、かつ、係止部２６８２における内面部２６５側の面は、後述する下部筐体２７に形成されたガイド部２７８３のガイド面２７８３Ａに当接する当接面２６８３として形成されている。この当接面２６８３における係止部２６８２に対応する面は、当該ガイド面２７８３Ａの下端部分に応じて略円弧状の曲面形状を有している。これにより、上部筐体２６を下部筐体２７に取り付ける際に、上部筐体２６の回動抵抗を小さくすることができる。
係止部２６８２は、上部筐体２６により、下部筐体２７が完全に覆われた際に、当該下部筐体２７に形成された凹部２７８２に嵌合し、当該下部筐体２７に上部筐体２６を係止する。なお、この係止部２６８２による上部筐体２６の係止については、後に詳述する。
【００６９】
一方、側壁２６１Ａの先端における突出部２６８に対向する側には、当該側壁２６１Ａの長手方向に沿って断面視略三角形状の切欠部２６１Ａ１が形成されている。この切欠部２６１Ａ１は、下部筐体２７の側壁２７１Ａに当接して、上部筐体２６の下部筐体２７に対する回動を容易にしている。
【００７０】
〔下部筐体２７の構成〕
図１８は、下部筐体２７の内面部２７６を示す斜視図である。
下部筐体２７には、図１８に示すように、正面部２２１、側面部２２２，２２３、背面部２２４（図１８では、背面部２２４の一部のみ図示）及び底面部２２５が形成されている。このうち、正面部２２１及び背面部２２４には、底面部２２５から離間する方向の先端側に、側壁２７１Ａ，２７４Ａが形成されている。また、これら側壁２７１Ａ，２７４Ａの上端面、及び、側面部２２２，２２３の上端面には、それぞれ互いに接続されるリブ２７１Ｂ〜２７４Ｂが、当該側壁２７１Ａ，２７４Ａ及び側面部２２２，２２３の内側の面に連続するように形成されている。
このような各部２２１〜２２４により、下部筐体２７には、上方、すなわち、上部筐体２６に対向する方向に向かって開口し、かつ、装置本体３を下部筐体２７の内部に収納する開口２７７が形成され、また、各部２２１〜２２４の内側の面であり、かつ、開口２７７により露出する内面部２７６が形成されている。
【００７１】
図１９は、係合部２７８を示す斜視図であり、図２０は、係合部２７８を示す下部筐体２７の縦断面図である。
正面部２２１に位置する側壁２７１Ａには、下部筐体２７に上部筐体２６を組み合わせる際に、前述の突出部２６８が係合する係合部２７８が、当該側壁２７１Ａの長手方向に沿って所定間隔を隔てて合計６つ形成されている。これら係合部２７８は、図１９及び図２０に示すように、それぞれ、切欠部２７８１、凹部２７８２、一対のガイド部２７８３及び一対の規制部２７８４を備えている。
【００７２】
切欠部２７８１は、リブ２７１Ｂの上端（上部筐体２６に対向する方向側の端部）を略矩形状に切り欠いて形成されている。この切欠部２７８１の幅寸法（側壁２７１Ａの長手方向に沿う方向の寸法）は、前述の突出部２６８（図１６）の幅寸法（側壁２６１Ａの長手方向に沿う方向の寸法であり、上部筐体２６の回動軸方向の寸法）に応じて設定されている。
凹部２７８２は、切欠部２７８１から段差部２２１４に近接する方向（上部筐体２６に対向する方向とは反対方向）の側壁２７１Ａの端部に穿設されている。この凹部２７８２の幅寸法は、突出部２６８の係止部２６８２の幅寸法に応じて設定され、当該凹部２７８２には、上部筐体２６が下部筐体２７の開口２７７を完全に閉塞した際に、係止部２６８２が嵌合する。
【００７３】
一対のガイド部２７８３は、それぞれ、切欠部２７８１と凹部２７８２との間に、当該切欠部２７８１から凹部２７８２に向かう方向に沿って延出するように、所定間隔を隔てて形成されている。具体的に、一対のガイド部２７８３は、切欠部２７８１の幅方向の形成範囲内にそれぞれ形成されている。
これらガイド部２７８３は、図２０に示すように、断面視略台形状に側壁２７１Ａの内側の面（背面部２２４に対向する側の面）に、一体的に凸設されている。そして、ガイド部２７８３の下端部分（段差部２２１４に近接する側の部分）は、段差部２２１４に近接する方向（開口２７７の深さ方向）に向かうに従って、厚さ寸法が小さくなる曲面形状に形成されている。このガイド部２７８３の突出方向先端側の面であるガイド面２７８３Ａには、前述の突出部２６８の当接面２６８３が当接し、下部筐体２７に対する上部筐体２６の回動を案内する。
なお、このように一対のガイド部２７８３を、所定間隔を隔てて側壁２７１Ａに形成したことにより、当該一対のガイド部２７８３に代えて１つのガイド部を設けた場合に対して、上部筐体２７の成形時における側壁２７１Ａの引けを防止することができる。
【００７４】
一対の規制部２７８４は、一対のガイド部２７８３を挟むように、側壁２７１Ａの内側の面から膨出して形成されている。これら規制部２７８４は、下部筐体２７に対して上部筐体２６を回動させて組み合わせる際に、当該上部筐体２６の突出部２６８を挟み込んで当該突出部２６８の位置ずれを規制する。
【００７５】
また、側壁２７１Ａの上端面と、リブ２７１Ｂの外面とにより、段差部２７１Ｃが形成され、更に、当該段差部２７１Ｃにおける側壁２７１Ａの外側には、当該側壁２７１Ａの長手方向に沿って切欠部２７１Ａ１が、断面視略Ｌ字状に形成されている。
このうち、段差部２７１Ｃには、上部筐体２６が下部筐体２７の開口２７７を完全に閉塞した際に、当該上部筐体２６の側壁２６１Ａが嵌まり込む。
切欠部２７１Ａ１の一対の角部には、上部筐体２６を下部筐体２７に組み合わせる過程で、当該上部筐体２６の側壁２６１Ａの先端部分が当接する。これにより、上部筐体２６の回動を行いやすくできるほか、当該側壁２６１Ａを、上部筐体２６の回動に伴って段差部２７１Ｃに嵌め込みやすくすることができる。
【００７６】
〔外装筐体２Ａの組み立て工程〕
以下、上部筐体２６と下部筐体２７とを組み合わせて、外装筐体２Ａを構成する工程について説明する。
図２１、図２３、図２５及び図２７は、下部筐体２２に上部筐体２１を組み合わせる際の経過を示す側面図である。また、図２２、図２４、図２６及び図２８は、それぞれ図２１、図２３、図２５及び図２７の一部（特に、突出部２６８及び係合部２７８）を拡大して示す断面図である。なお、図２１〜図２８においては、装置本体３の図示を省略する。
【００７７】
先ず、図２１に示すように、上部筐体２６を下部筐体２７に対して略９０度傾けた状態で、図２２に示すように、下部筐体２７のリブ２７１Ｂに形成された係合部２７８の切欠部２７８１（図１９及び図２０）に、上部筐体２６に形成された突出部２６８の当接面２６８３を当接させるとともに、当該側壁２７１Ａの外面に、上部筐体２６の側壁２６１Ａの先端面を当接させる。この状態では、切欠部２７８１及び突出部２６８により、下部筐体２７に対する図２１及び図２２における手前及び奥行き方向の上部筐体２６の移動が規制されるとともに、側壁２７１Ａ，２６１Ａにより、図２１及び図２２における右方向への上部筐体２６の移動が規制される。
【００７８】
次に、図２１において示した状態から、図２３に示すように、上部筐体２６を、下部筐体２７に近接する方向、すなわち、下部筐体２７の開口２７７を覆う方向に、当該開口２７７の端縁を形成する側壁２７１Ａの上端を軸として回動させる。この上部筐体２６の回動により、図２４に示すように、側壁２７１Ａに形成された切欠部２７１Ａ１に、側壁２６１Ａが乗り上げ、当該側壁２７１Ａと側壁２６１Ａとが近接する。なお、この状態では、リブ２７１Ｂと突出部２６８の当接面２６８３とが離間するが、当該突出部２６８は、一対の規制部２７８４間に位置することとなるので、下部筐体２７に対する図２３及び図２４における手前及び奥行き方向の上部筐体２６の移動は規制されたままとなる。
【００７９】
この後、図２３に示した状態から、図２５に示すように、上部筐体２６を更に回動させる。この状態では、図２６に示すように、突出部２６８の当接面２６８３における先端部分が、ガイド部２７８３のガイド面２７８３Ａに当接する。詳述すると、当接面２６８３における係止部２６８２に対応する部位が、ガイド面２７８３Ａにおける曲面形状を有する下端部分に当接する。このため、図２５及び図２６に示した状態から、上部筐体２６を更に回動させた場合には、当接面２６８３は、ガイド部２７８３のガイド面２７８３Ａに沿って摺動することとなり、当該ガイド面２７８３Ａにより、上部筐体２６の回動が案内される。
【００８０】
そして、図２５に示した状態から、上部筐体２６を更に回動させると、図２７に示すように、当該上部筐体２６と下部筐体２７とが組み合わさり、下部筐体２７の開口２７７（図１８）が閉塞される。この状態では、図２８に示すように、当接部２６８３とガイド面２７８３Ａとが当接したまま、当該突出部２６８の先端に形成された係止部２６８２が、係合部２７８の凹部２７８２に嵌まり込み、ガイド部２７８３における段差部２２１４に近接する側（開口２７７の深さ方向の先端側）の端部を係止する。また、これに伴い、側壁２６１Ａの突出部２６８に対向する面と、リブ２７１Ｂの外面とが当接したまま、当該側壁２６１Ａの先端面が、段差部２７１Ｃに嵌まり込む。すなわち、側壁２６１Ａは、本発明の起立部に相当する。
【００８１】
このような図２７及び図２８に示した状態では、下部筐体２７に対する図２７及び図２８における手前及び奥行き方向への上部筐体２６の移動は、凹部２７８２と、当該凹部２７８２に嵌まり込む突出部２６８の係止部２６８２により規制される。
また、下部筐体２７に対する図２７及び図２８における左右方向への上部筐体２６の移動は、リブ２７１Ｂに当接する側壁２６１Ａ、及び、ガイド部２７８３に当接する突出部２６８により規制される。
更に、下部筐体２７から離間する方向、すなわち、図２７及び図２８における上方への上部筐体２６の移動は、係合部２７８の凹部２７８２に嵌まり込む突出部２６８の係止部２６８２により規制される。また、上部筐体２６の内面部２６５に形成され、かつ、下部筐体２７に形成された溝（図示省略）に嵌合する嵌合つめ２１５４により、下部筐体２７から離間する方向への上部筐体２６の移動（回動）がより強固に規制される。
【００８２】
〔第二実施形態の効果〕
以上説明した本実施形態の情報処理装置１Ａによれば、以下の効果を奏することができる。
すなわち、上部筐体２６を下部筐体２７に組み合わせる際には、当該下部筐体２７の側壁２７１Ａに形成されたガイド部２７８３のガイド面２７８３Ａに、上部筐体２６に形成された突出部２６８の当接面２６８３が当接する。そして、当該当接面２６８３は、下部筐体２７の開口２７７を閉塞する方向に上部筐体２６が回動する際に、ガイド面２７８３Ａにより案内され、当該ガイド面２７８３Ａに沿って摺動する。これによれば、ガイド部２７８３のガイド面２７８３Ａに沿って当接面２６８３が摺動するように、上部筐体２６を回動させることで、当該上部筐体２６を下部筐体２７に組み合わせることができる。従って、外装筐体２Ａの組立工程を簡略化することができる。
【００８３】
また、突出部２６８の突出方向先端側には、当該突出部２６８の起立方向に対して屈曲する係止部２６８２が形成され、下部筐体２７の側壁２７１Ａには、ガイド部２７８３を切欠部２７８１とともに挟み、かつ、係止部２６８２が嵌合する凹部２７８２が形成されている。これによれば、上部筐体２６により下部筐体２７の開口２７７を完全に閉塞した際に、下部筐体２７から離間する方向への上部筐体２６の移動を規制することができる。従って、上部筐体２６と下部筐体２７との位置ずれを抑制することができる。
【００８４】
また、下部筐体２７の一対のガイド部２７８３が、側壁２７１Ａにおける内面側に凸設されていることにより、下部筐体２７の側壁２７１Ａの外面側に、不要な凹凸を形成する必要をなくすことができる。これによれば、下部筐体２７の開口２７７を上部筐体２６により閉塞した際に、当該上部筐体２６の側壁２６１Ａと、下部筐体２７の側壁２７１Ａとの隙間を小さくすることができる。従って、上部筐体２６と下部筐体２７とを組み合わせた際の位置ずれを抑制することができる。
【００８５】
また、ガイド部２７８３のガイド面２７８３Ａの下端部（段差部２２１４に近接する側の端部）は、曲面形状を有し、当該ガイド面２７８３Ａの曲面形状部分に当接する突出部２６８の当接面２６８３における部分は、当該曲面形状に応じた曲面形状を有している。これによれば、当接面２６８３及びガイド面２７８３Ａのガタ及び摩擦を低減することができる。従って、上部筐体２６を下部筐体２７に対してスムーズに回動させることができ、当該下部筐体２７に対する上部筐体２６の位置決めを、迅速に行うことができる。
【００８６】
また、下部筐体２７の側壁２７１Ａ上に形成されたリブ２７１Ｂの先端（段差部２２１４から離間する方向の先端）には、ガイド部２７８３に応じた位置に、突出部２６８の幅寸法（側壁２６１Ａの長手方向に沿う方向であり、上部筐体２６の回動軸方向の寸法）と略同じ幅寸法を有する切欠部２７８１が形成されている。これによれば、突出部２６８の当接面２６８３を、切欠部２７８１に当接させた状態で、上部筐体２６を下部筐体２７の開口２７７を閉塞する方向に回動させることにより、当該当接面２６８３を、ガイド部２７８３に容易に当接させることができる。また、切欠部２７８１の幅寸法は、突出部２６８の幅寸法と略一致するので、当接面２６８３を切欠部２７８１に当接させることにより、上部筐体２６と下部筐体２７とを仮位置決めすることができる。従って、上部筐体２６及び下部筐体２７間に、当該上部筐体２６の回動軸方向に沿った位置ずれが生じることを抑制することができ、互いの位置ずれを、一層確実に抑制することができる。
【００８７】
また、上部筐体２６が下部筐体２７の開口２７７を完全に閉塞し、かつ、係止部２６８２が凹部２７８２に嵌合してガイド部２７８３を係止した状態では、上部筐体２６の側壁２６１Ａが、下部筐体２７の側壁２７１Ａの外面側に形成された段差部２７１Ｃに嵌まり込む。これによれば、側壁２６１Ａ，２７１Ａにより、下部筐体２７に対する上部筐体２６の背面側への移動を規制することができるとともに、突出部２６８とガイド部２７８３とにより、下部筐体２７に対する上部筐体２６の正面側への移動を規制することができる。従って、下部筐体２７の開口２７７を上部筐体２６により完全に閉塞した状態での互いの位置ずれを、より一層確実に抑制することができる。
【００８８】
また、前述の情報処理装置１では、上部筐体２６と下部筐体２７とを組み合わせた状態での当該上部筐体２６の回動軸に沿った方向の上部筐体２６の移動を規制するために、下部筐体２２のリブ２２７３に溝２２７３１を形成し、当該溝２２７３１に係合する突起２１５２，２１５３を上部筐体２１に形成した。これに対し、情報処理装置１Ａでは、下部筐体２７のリブ２７１Ｂに切欠部２７８１を形成し、当該切欠部２７８１に、ガイド部２７８３に当接するとともに、凹部２７８２に嵌合する突出部２６８が当接する。これによれば、突起２１５２，２１５３のような部材を筐体に設ける必要をなくすことができる。従って、前述の情報処理装置１の外装筐体２に比べ、外装筐体２Ａの構成を簡略化することができる。
【００８９】
〔３．実施形態の変形〕
なお、本発明は前述の実施形態に限定されるものではなく、本発明の目的を達成できる範囲での変形、改良等は本発明に含まれるものである。
例えば、前記第一実施形態では、突出部２１５１及び各突起２１５２，２１５３は、上部筐体２１の正面部２１１側に形成され、ガイド部２２７２、嵌合穴２２６１、及び溝２２７３１は、下部筐体２２の正面部２２１側に形成されていたがこれに限られず、例えば、上部筐体２１の側面部２１３側と、下部筐体２２の側面部２２２側に設けてもよい。
【００９０】
また、ガイド部２２７２が、下部筐体２２の開口２２７を形成する側壁２２１Ａの内面に凹設され、これに合わせて、上部筐体２１の突出部２１５１が、上部筐体２１の正面部２１１を形成する側壁２１１Ａの外面に突設されてもよい。この場合には、上部筐体２１の幅寸法を下部筐体２２の幅寸法内に収めることができるので、外装筐体２をコンパクトにすることができる。
【００９１】
前記第一実施形態では、下部筐体２２の開口２２７を形成する側壁２２１Ａにリブ２２７３が設けられ、このリブ２２７３に溝２２７３１が形成されていたがこれに限られず、例えば、リブ２２７３を設けないで、下部筐体２２の端縁２２７１に溝２２７３１を形成してもよい。
【００９２】
前記第一実施形態では、上部筐体２１には、突出部２１５１、各突起２１５２，２１５３、及び嵌合つめ２１５４が設けられ、下部筐体２２には、嵌合穴２２６１、ガイド部２２７２及び溝２２７３１が設けられていたが、必ずしもこれら全てを設けなくてもよい。
【００９３】
前記第二実施形態では、ガイド部２７８３のガイド面２７８３Ａの下端は、曲面形状を有するとしたが、本発明はこれに限らず、平面形状を有する構成としてもよい。
また、突出部２６８の係止部２６８２は、凹部２７８２に嵌合することで、ガイド部２７８３の下端を係止するとしたが、本発明はこれに限らない。すなわち、ガイド部２７８３が、係止部２６８２により係止される程度に突出する形状を有していれば、凹部２７８２を側壁２７１Ａに形成する構成とせずともよい。更に、ガイド部２７８３における所定の位置に、係止部２６８２により係止される部位を形成してもよい。
【００９４】
前記第二実施形態では、突出部２６８及び係合部２７８を、上部筐体２６及び下部筐体２７に、それぞれ合計６つずつ設けたが、本発明はこれに限らない。すなわち、突出部２６８及び係合部２７８の数は、それぞれが対応していれば、適宜設定してよい。
さらに、前記各実施形態では、電子機器として情報処理装置１が用いられていたが、他の電子機器であってもよい。
【産業上の利用可能性】
【００９５】
本発明は、情報処理装置に利用できる他、あらゆる電子機器に適用することができる。
【図面の簡単な説明】
【００９６】
【図１】本発明の第一実施形態に係る情報処理装置を正面側から見た斜視図。
【図２】前記実施形態における上部筐体の内面部を示す斜視図。
【図３】前記実施形態における突出部を示す上部筐体の部分拡大図。
【図４】前記実施形態における上部筐体の断面図。
【図５】前記実施形態における下部筐体を底面側から見た斜視図。
【図６】前記実施形態におけるガイド部を示す下部筐体の部分拡大図。
【図７】前記実施形態における下部筐体の内面部を示す斜視図。
【図８】前記実施形態における上部筐体を外した状態の情報処理装置を正面側から見た斜視図。
【図９】前記実施形態における下部筐体を上部筐体で覆う際の経過を示す側面図。
【図１０】図９の一部を拡大して示す断面図。
【図１１】前記実施形態における突起が溝に嵌り込んだ状態を示す斜視図。
【図１２】前記実施形態における下部筐体を上部筐体で覆う際の経過を示す側面図。
【図１３】図１２の一部を拡大して示す断面図。
【図１４】前記実施形態における下部筐体を上部筐体で覆う際の経過を示す側面図。
【図１５】図１４の一部を拡大して示す断面図。
【図１６】本発明の第二実施形態に係る情報処理装置の上部筐体の内面部を示す斜視図。
【図１７】前記実施形態における突出部を示す上部筐体の断面図。
【図１８】前記実施形態における下部筐体の内面部を示す斜視図。
【図１９】前記実施形態における係合部を示す下部筐体の部分拡大図。
【図２０】前記実施形態における係合部を示す下部筐体の断面図。
【図２１】前記実施形態における下部筐体を上部筐体で覆う際の経過を示す側面図。
【図２２】図２１の一部を拡大して示す断面図。
【図２３】前記実施形態における下部筐体を上部筐体で覆う際の経過を示す側面図。
【図２４】図２３の一部を拡大して示す断面図。
【図２５】前記実施形態における下部筐体を上部筐体で覆う際の経過を示す側面図。
【図２６】図２５の一部を拡大して示す断面図。
【図２７】前記実施形態における下部筐体を上部筐体で覆う際の経過を示す側面図。
【図２８】図２７の一部を拡大して示す断面図。
【符号の説明】
【００９７】
１，１Ａ…情報処理装置（電子機器）、２，２Ａ…外装筐体（電子機器用筐体）、３…装置本体（機器本体）、２１，２６…上部筐体（第二筐体）、２２，２７…下部筐体（第一筐体）、２２７，２７７…開口、２６８…突出部、２１５１，２６８…突出部、２１５２…突起、２１５３…突起、２２１Ａ，２７１Ａ…側壁、２２６１…嵌合穴、２２７１…端縁、２２７２…ガイド部（係止部）、２６１Ａ…側壁（起立部）、２６８２…係止部、２６８３…当接面、２７１Ｃ…段差部、２７８１…切欠部、２７８３…ガイド部、２１５１１…凸状曲面（当接面）、２１５３１…鉤状部、２２７２１…凹状曲面（ガイド面）、２２７３１…溝、２７８３Ａ…ガイド面。
【図１】
2008103671.tif 000003
【図２】
2008103671.tif 000004
【図３】
2008103671.tif 000005
【図４】
2008103671.tif 000006
【図５】
2008103671.tif 000007
【図６】
2008103671.tif 000008
【図７】
2008103671.tif 000009
【図８】
2008103671.tif 000010
【図９】
2008103671.tif 000011
【図１０】
2008103671.tif 000012
【図１１】
2008103671.tif 000013
【図１２】
2008103671.tif 000014
【図１３】
2008103671.tif 000015
【図１４】
2008103671.tif 000016
【図１５】
2008103671.tif 000017
【図１６】
2008103671.tif 000018
【図１７】
2008103671.tif 000019
【図１８】
2008103671.tif 000020
【図１９】
2008103671.tif 000021
【図２０】
2008103671.tif 000022
【図２１】
2008103671.tif 000023
【図２２】
2008103671.tif 000024
【図２３】
2008103671.tif 000025
【図２４】
2008103671.tif 000026
【図２５】
2008103671.tif 000027
【図２６】
2008103671.tif 000028
【図２７】
2008103671.tif 000029
【図２８】
2008103671.tif 000030